(57)【要約】【課題】使用者の好みに合わせた音声の特徴の調整を音声別に簡便に行うことができる再生装置及び再生システムを提供する。【解決手段】ＤＶＤレコーダ（再生装置）１は、音声データに基づいた音声の特徴を変化させるための調整指示を音声毎に使用者から受け付け、調整指示の内容を示す調整指示情報を音声データに関連付けて記憶する。またＤＶＤレコーダ１は、音声データを再生する際に、音声データに関連付けて記憶している調整指示情報を音声データに関連付けてＡＶアンプ（調整装置）２へ送信する。ＡＶアンプ２は、調整指示情報が示す調整指示の内容に従って、音声データを調整する。調整した音声データに基づいて受像機３で音声が出力されるので、使用者は、聴取の度に手動で調整を行わずとも、常に好みに合う調整が行われた音声を聴取することができる。【選択図】図２
2009123255.tif 000002
【特許請求の範囲】
【請求項１】
記録媒体に記録されたデータから音声データを再生する手段と、再生した音声データを出力する出力手段とを備える再生装置において、
音声データに基づいて発生される音声の特徴を変化させるために行うべき音声データの調整の内容を指示する調整指示を受け付ける受付手段と、
任意の音声データに対応する音声の特徴を変化させるために前記受付手段が受け付けた調整指示の内容を前記音声データに関連付けて記憶する手段と、
前記出力手段が音声データを出力する際に、前記音声データに関連付けて記憶されている調整指示の内容を示す調整指示情報を、前記音声データに関連付けて出力する手段と
を備えることを特徴とする再生装置。
【請求項２】
行うことが可能な音声データの調整の機能を特定する手段を更に備え、
前記受付手段は、
特定した機能に応じた内容の調整指示を受け付けるように構成してあること
を特徴とする請求項１に記載の再生装置。
【請求項３】
前記受付手段が調整指示を受け付けるための受付画面を内部又は外部の表示手段に表示させる手段を更に備えること
を特徴とする請求項１又は２に記載の再生装置。
【請求項４】
請求項１乃至３のいずれか一つに記載の再生装置と、音声データに基づいて発生される音声の特徴を変化させるために音声データの調整を行う調整装置とを含む再生システムであって、
前記再生装置は、音声データ及び調整指示情報を前記調整装置へ出力するように構成してあり、
前記調整装置は、
前記再生装置から出力された音声データに関連付けて前記再生装置から出力された調整指示情報が示す調整指示の内容に従って、前記音声データの調整を行う手段を備えること
を特徴とする再生システム。
【請求項５】
記録媒体に記録されたデータから音声データを再生する再生手段と、音声データに基づいて発生される音声の特徴を変化させるために音声データの調整を行う調整手段とを備える再生装置において、
前記調整手段が行うべき音声データの調整の内容を指示する調整指示を受け付ける受付手段と、
任意の音声データに対応する音声の特徴を変化させるために前記受付手段が受け付けた調整指示の内容を前記音声データに関連付けて記憶する手段と、
前記調整手段は、
前記再生手段が音声データを再生した場合に、前記音声データに関連付けて記憶されている調整指示の内容に従って前記音声データの調整を行うように構成してあること
を特徴とする再生装置。
【発明の詳細な説明】
【技術分野】
【０００１】
本発明は、ハードディスク又は光ディスク等の記録媒体に記録されているデータから音声データを再生する再生装置及び再生システムに関する。
【背景技術】
【０００２】
従来、ＣＤ（Ｃｏｍｐａｃｔ  Ｄｉｓｋ）等の記録媒体に記録されたデータから音声データを再生し、音声データに基づいた音声をスピーカで出力する音声出力装置では、使用者が自分の好みに合わせて音声の特徴を調整できる機能を有するものが多い。この機能を利用することにより、特定周波数の音を強調する又はエコーを付加する等、使用者の好みに合うように音声の特徴を調整することができる。適切な特徴調整は音声毎に異なるので、本来は音声毎に特徴を調整すべきであるものの、使用者が音声を聴取する際に必要な操作が繁雑になるという問題があった。そこで、特許文献１には、調整の内容を示す調整データを音楽ジャンル別に予め記憶しておき、記録媒体のＴＯＣ（Table of contents ）情報に基づいて通信ネットワーク上のデータベースから音声の音楽ジャンルを取得し、音声を出力する際に、音楽ジャンルに対応する調整データに従って音声の特徴を調整する技術が開示されている。この技術により、各音声の音楽ジャンルに合った特徴調整を行うことができる。
【０００３】
またハードディスク又は半導体メモリ等の記録媒体に、音声データをエンコードしたＭＰ３（MPEG-1 Audio Layer-3）形式等の音声圧縮データを記録しておき、音声圧縮データを音声データへデコードして音声を出力する音声出力装置が普及している。このような音声出力装置においても、音声の特徴を調整する機能が備えられている。
【特許文献１】特開２００４−７１１２８号公報
【発明の開示】
【発明が解決しようとする課題】
【０００４】
特許文献１に開示された技術では、通信ネットワーク上のデータベースから情報を取得するので、通信ネットワーク上にデータベースを構築しておくことと、音声出力装置が通信機能を備えることとが必要となり、コストが高くなるという問題がある。また、音楽ジャンル別に予め定められた調整データに従って音声の特徴を調整するので、使用者の好みに合った調整が行われるとは限らないという問題がある。
【０００５】
本発明は、斯かる事情に鑑みてなされたものであって、その目的とするところは、音声別に特徴の調整内容を保存しておくことにより、使用者の好みに合わせた音声の特徴の調整を簡便に行うことができる再生装置及び再生システムを提供することにある。
【課題を解決するための手段】
【０００６】
本発明に係る再生装置は、記録媒体に記録されたデータから音声データを再生する手段と、再生した音声データを出力する出力手段とを備える再生装置において、音声データに基づいて発生される音声の特徴を変化させるために行うべき音声データの調整の内容を指示する調整指示を受け付ける受付手段と、任意の音声データに対応する音声の特徴を変化させるために前記受付手段が受け付けた調整指示の内容を前記音声データに関連付けて記憶する手段と、前記出力手段が音声データを出力する際に、前記音声データに関連付けて記憶されている調整指示の内容を示す調整指示情報を、前記音声データに関連付けて出力する手段とを備えることを特徴とする。
【０００７】
本発明に係る再生装置は、行うことが可能な音声データの調整の機能を特定する手段を更に備え、前記受付手段は、特定した機能に応じた内容の調整指示を受け付けるように構成してあることを特徴とする。
【０００８】
本発明に係る再生装置は、前記受付手段が調整指示を受け付けるための受付画面を内部又は外部の表示手段に表示させる手段を更に備えることを特徴とする。
【０００９】
本発明に係る再生システムは、本発明に係る再生装置と、音声データに基づいて発生される音声の特徴を変化させるために音声データの調整を行う調整装置とを含む再生システムであって、前記再生装置は、音声データ及び調整指示情報を前記調整装置へ出力するように構成してあり、前記調整装置は、前記再生装置から出力された音声データに関連付けて前記再生装置から出力された調整指示情報が示す調整指示の内容に従って、前記音声データの調整を行う手段を備えることを特徴とする。
【００１０】
本発明に係る再生装置は、記録媒体に記録されたデータから音声データを再生する再生手段と、音声データに基づいて発生される音声の特徴を変化させるために音声データの調整を行う調整手段とを備える再生装置において、前記調整手段が行うべき音声データの調整の内容を指示する調整指示を受け付ける受付手段と、任意の音声データに対応する音声の特徴を変化させるために前記受付手段が受け付けた調整指示の内容を前記音声データに関連付けて記憶する手段と、前記調整手段は、前記再生手段が音声データを再生した場合に、前記音声データに関連付けて記憶されている調整指示の内容に従って前記音声データの調整を行うように構成してあることを特徴とする。
【００１１】
本発明においては、音声データに基づいた音声の特徴を変化させるための音声データの調整指示を使用者から受け付け、受け付けた調整指示の内容を示す調整指示情報を各音声データに関連付けて記憶しておき、音声データを再生する際に、当該音声データに関連付けられた調整指示情報が示す調整指示の内容に従って音声データを調整する。調整された音声データに基づいて音声が出力されるので、音声の特徴が変化する。
【００１２】
また本発明においては、記録媒体に記録されたデータから音声データを再生する再生装置は、音声データを調整する外部の調整装置が行うことが可能な音声データの調整の機能を特定し、特定した機能に応じた内容の調整指示を受け付ける。
【００１３】
また本発明においては、調整指示を受け付けるための受付画面を表示手段に表示し、受付画面上でＧＵＩを用いて調整指示を使用者から受け付ける。
【発明の効果】
【００１４】
本発明にあっては、音声データを再生する際に、当該音声データに関連付けられた調整指示情報が示す調整指示の内容に従って音声データを調整し、調整指示情報は、過去に使用者から音声別に受け付けた調整指示の内容を示しているので、音声別に使用者の好みに合わせた音声の特徴の調整を簡便に行うことができる。使用者は、一度調整指示を入力しておけば、聴取の度に手動で調整を行わずとも、常に好みに合う調整が行われた音声を聴取することができる等、本発明は優れた効果を奏する。
【発明を実施するための最良の形態】
【００１５】
以下本発明をその実施の形態を示す図面に基づき具体的に説明する。
（実施の形態１）
図１は、本発明の再生システムを示す概念図である。本発明の再生システムは、ＤＶＤ（Digital versatile disk ）又はハードディスク等の記録媒体に記録されたデータから映像データを再生するＤＶＤレコーダ（再生装置）１と、音声データの増幅及び調整を行うＡＶ（オーディオ・ビジュアル）アンプ２と、映像の表示及び音声の出力を行う受像機（テレビジョン受像機）３とを含んでなる。ＤＶＤレコーダ１は、本発明における再生装置であり、ＣＤ又はＤＶＤ等の光ディスクに記録されたデータから映像データ及び音声データを再生し、映像データ及び音声データを出力する。ＡＶアンプ２は、本発明における調整装置であり、ＤＶＤレコーダ１に接続されており、ＤＶＤレコーダ１が出力した音声データを増幅・調整して出力する。受像機３は、ＡＶアンプ２に接続されており、映像データ及び音声データを受け付け、映像の表示及び音声の出力を行う。
【００１６】
図２は、本発明の再生システムの内部構成を示すブロック図である。ＤＶＤレコーダ１は、演算を行う演算部、演算に伴う情報を記憶するＲＡＭ、演算に必要なプログラムを記憶するＲＯＭ等からなり、ＤＶＤレコーダ１の各部の動作を制御する制御部１１、及びＤＶＤレコーダ１に必要な映像処理及び音声処理を行う処理部１２を備え、制御部１１及び処理部１２は互いに接続されている。制御部１１及び処理部１２には、記録媒体であるＣＤ又はＤＶＤ等の光ディスクを受け入れ、光ディスクに記録されたデータを読み出す光ディスクドライブ１５と、記録媒体であるハードディスクを内蔵し、ハードディスクに対してデータを読み書きするハードディスクドライブ（ＨＤＤ）１６とが接続されている。また制御部１１には、使用者が操作する図示しないリモコン（リモートコントローラ）からの信号を受信するリモコン受信部１７と、各種のスイッチ等からなり、使用者による操作を受け付ける操作部１８と、必要な情報を表示する液晶パネル等の表示部１９とが接続されている。
【００１７】
また処理部１２には、ＨＤＭＩ（High Definition Multimedia Interface）の規格に従ったデータを送信するＨＤＭＩ送信部１４が接続されている。ＨＤＭＩ送信部１４には、ＨＤＭＩの規格に従って構成された通信ケーブルであるＨＤＭＩケーブルが接続されるＨＤＭＩコネクタ１３が接続されており、ＨＤＭＩコネクタ１３は更に制御部１１に接続されている。ＨＤＭＩコネクタ１３を介して、ＨＤＭＩ送信部１４はＴＭＤＳ（Transition Minimized Differential Signaling ）の規格に従った映像データ及び音声データを送信し、制御部１１はＣＥＣ（Consumer Electronics Control）の規格に従った制御データを送信する。ＨＤＭＩコネクタ１３及びＨＤＭＩケーブルは、ＴＭＤＳのデータとＣＥＣのデータとを互いに分離して送信する構成となっている。
【００１８】
ＤＶＤレコーダ１では、光ディスクドライブ１５が受け入れたＤＶＤからデータを読み出し、処理部１２が、読み出したデータから映像データ及び音声データを再生し、ＨＤＭＩ送信部１４及びＨＤＭＩコネクタ１３から映像データ及び音声データを送信する。また光ディスクドライブ１５でＣＤから楽曲等の音声に対応するデータを読み出し、処理部１２がデータから音声データを再生し、ＨＤＭＩ送信部１４及びＨＤＭＩコネクタ１３から音声データを送信する。またＤＶＤレコーダ１では、放送された映像データ及び音声データを処理部１２でエンコードし、エンコードしたデータを光ディスクドライブ１５又はＨＤＤ１６で書き込み可能なＤＶＤ又はハードディスクに記録することができる。またＤＶＤレコーダ１では、ＨＤＤ１６でハードディスクからデータを読み出し、処理部１２がデータから映像データ及び音声データを再生し、ＨＤＭＩ送信部１４及びＨＤＭＩコネクタ１３から映像データ及び音声データを送信する。
【００１９】
またＤＶＤレコーダ１では、処理部１２は、光ディスクドライブ１５がＣＤから読み出したデータから音声データを再生し、音声データをエンコードした音声圧縮データを生成し、ＨＤＤ１６はハードディスクに音声圧縮データを記録する。またＤＶＤレコーダ１では、ＨＤＤ１６はハードディスクから音声圧縮データを読み出し、処理部１２は音声圧縮データをデコードして音声データを再生し、ＨＤＭＩ送信部１４及びＨＤＭＩコネクタ１３から音声データを送信する。
【００２０】
ＡＶアンプ２は、演算を行う演算部、演算に伴う情報を記憶するＲＡＭ、演算に必要なプログラムを記憶するＲＯＭ等からなり、ＡＶアンプ２の各部の動作を制御する制御部２１、及びＡＶアンプ２に必要な音声処理を行う音声処理部２２を備え、制御部２１及び音声処理部２２は互いに接続されている。音声処理部２２には、ＨＤＭＩの規格に従ったデータを受信するＨＤＭＩ受信部２６が接続されている。ＨＤＭＩ受信部２６には、ＨＤＭＩケーブルが接続されるＨＤＭＩコネクタ２５が接続されており、ＨＤＭＩコネクタ２５は更に制御部２１に接続されている。ＨＤＭＩコネクタ２５は、ＤＶＤレコーダ１のＨＤＭＩコネクタ１３とＨＤＭＩケーブルで互いに接続されている。また音声処理部２２には、ＨＤＭＩ送信部２４が接続されており、ＨＤＭＩ送信部２４及び制御部２１にはＨＤＭＩコネクタ２３が接続されている。またＨＤＭＩ受信部２６とＨＤＭＩ送信部２４とは互いに直接に接続されている。
【００２１】
ＨＤＭＩコネクタ２５は、ＤＶＤレコーダ１から送信されたデータの内、ＣＥＣのデータを制御部２１へ入力し、ＴＭＤＳのデータをＨＤＭＩ受信部２６へ入力する。ＨＤＭＩ受信部２６は、ＴＭＤＳに従った映像データ及び音声データを受信し、映像データをＨＤＭＩ送信部２４へ入力し、音声データを音声処理部２２へ入力する。制御部２１は、ＣＥＣに従った制御データに従って、音声処理部２２の動作を制御し、音声処理部２２は、音声データの調整を行い、調整後の音声データをＨＤＭＩ送信部２４へ入力する。ＨＤＭＩ送信部２４は、ＨＤＭＩ受信部２６からの映像データ、及び音声処理部２２からの音声データを、ＴＭＤＳに従ったデータとしてＨＤＭＩコネクタ２３を介して送信する。制御部２１は、ＣＥＣに従った制御データをＨＤＭＩコネクタ２３を介して送信する。
【００２２】
受像機３は、演算を行う演算部、演算に伴う情報を記憶するＲＡＭ、演算に必要なプログラムを記憶するＲＯＭ等からなり、受像機３の各部の動作を制御する制御部３１、及び受像機３に必要な映像処理及び音声処理を行う処理部３２を備え、制御部３１及び処理部３２は互いに接続されている。処理部３２には、映像を表示する液晶パネル等の表示部３３と、音声を出力するスピーカ又はヘッドホン端子等の音声出力部３４とが接続されている。また処理部３２には、ＨＤＭＩ受信部３６が接続されており、ＨＤＭＩ受信部３６及び制御部３１にはＨＤＭＩコネクタ３５が接続されている。ＨＤＭＩコネクタ３５は、ＡＶアンプ２のＨＤＭＩコネクタ２３とＨＤＭＩケーブルで互いに接続されている。
【００２３】
ＨＤＭＩコネクタ３５は、ＡＶアンプ２から送信されたデータの内、ＣＥＣのデータを制御部３１へ入力し、ＴＭＤＳのデータをＨＤＭＩ受信部３６へ入力する。ＨＤＭＩ受信部３６は、ＴＭＤＳに従った映像データ及び音声データを受信して処理部３２へ入力する。制御部３１は、ＣＥＣに従った制御データに従って、処理部３２の動作を制御する。処理部３２は、映像データに基づいた映像を表示部３３に表示させ、音声データに基づいた音声を音声出力部３４に出力させる処理を行う。
【００２４】
更に、ＤＶＤレコーダ１は、音声データに基づいた音声の特徴を変化させるためにＡＶアンプ２に行わせるべき音声データの調整の内容を指示する調整指示を、リモコン受信部１７又は操作部１８で受け付けることが可能である。ＤＶＤレコーダ１は、調整指示の内容を各音声データに関連付けた音声データベースをハードディスクに記憶している。
【００２５】
図３は、音声データベースの内容例を示す概念図である。音声データベースでは、ＣＤに固有のＣＤ識別情報に、ＣＤから読み出したデータから再生した各音声データを識別する音声識別情報が関連付けられている。また音声識別情報に、ＡＶアンプ２等の調整装置を識別する調整装置識別情報が関連付けられ、更に調整指示の内容を示す調整指示情報が関連付けられている。ＣＤ識別情報は、ＣＤから読み出したＴＯＣ情報から所定の演算で作成した情報等、各ＣＤにユニークな情報である。音声識別情報は、音声データに対応する楽曲の番号、又は名称等、ＣＤに係る各音声データを識別する情報であり、一のＣＤ識別情報に対して一又は複数の音声識別情報が関連付けられている。図３には音声識別情報として楽曲の番号を用いた例を示す。なお、本発明においては、音声データをユニークに識別する各音声データに固有の音声識別情報を用いてもよい。
【００２６】
調整装置識別情報は、ＡＶアンプ２の型番等、調整装置の種類を識別するための情報である。図３には型番を用いた例を示す。一の音声識別情報に対して、過去にＤＶＤレコーダ１に接続した一又は複数の調整装置の調整装置識別情報が関連付けられている。また調整指示情報は、調整装置識別情報で識別される調整装置に行わせるべき音声データの調整の内容を指示する調整指示の内容を示す情報である。調整指示情報は、例えば、複数の周波数領域の内で特定の周波数領域を増幅させる、特定の周波数領域を削減する、音声に特定の音声を付加する、音声にエコーをかける、又は複数チャンネルの音量のバランスを変更する等、調整装置識別情報で識別できる調整装置が行うことが可能な調整の内容を示している。図３には、ＡＶＡ１で識別される調整装置について、特定の周波数領域の増幅を指示する例、及びＴＶ３で識別される調整装置について、ロック又はジャズ等の音楽ジャンル別に音声データの調整の内容を予め定めてある複数のプリセットのうちの一つを指定した例を示している。
【００２７】
次に、以上の構成でなる本発明の再生システムの動作を説明する。ＤＶＤレコーダ１では、光ディスクドライブ１５がＣＤを受け入れた場合、光ディスクドライブ１５はＣＤに記録されたデータを読み出し、処理部１２は、読み出したデータから音声データを再生し、音声データをエンコードして音声圧縮データを生成し、ＨＤＤ１６はハードディスクに音声圧縮データを記録する。本発明の再生システムは、音声圧縮データを再生した各音声データについて、調整指示を受け付けて調整指示情報を記憶し、また調整指示情報に従って特徴を調整した音声を出力する処理を実行する。
【００２８】
図４及び図５は、実施の形態１に係るＤＶＤレコーダ１が行う処理の手順を示すフローチャートである。ＤＶＤレコーダ１は、まず、ＨＤＭＩコネクタ１３にＨＤＭＩケーブルで接続されたＡＶアンプ２を識別する（Ｓ１０１）。このとき、制御部１１は、ＨＤＭＩコネクタ１３を介して所定の制御信号をＡＶアンプ２へ送信し、送信した制御信号に応じてＡＶアンプ２から送信される信号に基づいて、ＡＶアンプ２を識別し、識別結果を記憶する。例えば、制御部１１は、所定の信号が送信されるか否かに基づいて、ＡＶアンプ２がＤＶＤレコーダ１の機能に対応した機能を備えた調整装置であるか否かを識別する。ＡＶアンプ２がＤＶＤレコーダ１に対応した調整装置である場合は、制御部１１は、ＡＶアンプ２を識別する調整装置識別情報を取得して記憶する。
【００２９】
制御部１１は、次に、再生すべき音声データの指定を待ち受ける（Ｓ１０２）。ステップＳ１０２では、制御部１１は、ＣＥＣに従った制御信号をＡＶアンプ２を経由して受像機３へ送信することにより、受像機３の表示部３３に音声データの一覧を表示させ、一覧を視認した使用者が図示しないリモコン又は操作部１８を操作することにより、リモコン受信部１７又は操作部１８で音声データの指定を受け付ける処理を行ってもよい。また制御部１１は、表示部１９に音声データを指定するために必要な情報を表示し、リモコン受信部１７又は操作部１８で音声データの指定を受け付ける処理を行ってもよい。また制御部１１は、予め定められた順番又は乱数等に従って、自動で音声データを指定する処理を行ってもよい。
【００３０】
ステップＳ１０２で再生すべき音声データが指定された場合は（Ｓ１０２：ＹＥＳ）、制御部１１は、ステップＳ１０１での識別結果に従って、ＡＶアンプ２がＤＶＤレコーダ１に対応した調整装置であるか否かを判定する（Ｓ１０４）。ＡＶアンプ２がＤＶＤレコーダ１に対応した調整装置である場合は（Ｓ１０４：ＹＥＳ）、ハードディスクに記憶している音声データベースに、指定された音声データを識別する音声識別情報、及びＡＶアンプ２を識別する調整装置識別情報に関連付けられた調整指示情報が記録されているか否かを判定する（Ｓ１０７）。
【００３１】
音声データベースに、音声識別情報及び調整装置識別情報に関連付けられた調整指示情報が記録されていない場合は（Ｓ１０７：ＮＯ）、制御部１１は、ＡＶアンプ２が行うことが可能な音声データの調整の機能を特定する（Ｓ１０８）。このとき、制御部１１は、ＡＶアンプ２での調整の機能を示す機能情報をＡＶアンプ２から読み出すか、又は調整装置識別情報に関連付けて予めハードディスクに記憶してある機能情報を読み出す等の方法により、音声データの調整の機能を特定する処理を行う。ＤＶＤレコーダ１では、次に、ＨＤＤ１６は指定された音声データに対応する音声圧縮データをハードディスクから読み出し、処理部１２は音声圧縮データをデコードすることで順次音声データを再生し、ＨＤＭＩ送信部１４はＴＭＤＳに従った音声データを順次ＨＤＭＩコネクタ１３からＡＶアンプ２へ送信することにより、音声データの再生及び送信を開始する（Ｓ１０９）。ＡＶアンプ２では、ＨＤＭＩコネクタ２５を介してＤＶＤレコーダ１からの音声データをＨＤＭＩ受信部２６で受信し、ＨＤＭＩ送信部２４はＴＭＤＳに従った音声データを順次ＨＤＭＩコネクタ２３から受像機３へ送信する。受像機３では、ＨＤＭＩコネクタ３５を介してＡＶアンプ２からの音声データをＨＤＭＩ受信部３６で受信し、処理部３２は、音声出力部３４に音声データに基づいた音声を順次出力させる。
【００３２】
制御部１１は、次に、ＡＶアンプ２に行わせる音声データの調整の内容を指示する調整指示を受け付けるための受付画面を受像機３の表示部３３に表示させる処理を行う（Ｓ１１０）。ステップＳ１１０では、制御部１１は、ステップＳ１０８で特定した機能に応じた調整指示を受け付けるための受付画面を表示することを指示する制御信号を、ＣＥＣに従った信号としてＨＤＭＩコネクタ１３からＡＶアンプ２へ送信する。制御信号はＡＶアンプ２を経由して受像機３へ送信され、受像機３では、ＨＤＭＩコネクタ３５を介して制御信号を制御部３１で受信し、制御部３１は、制御信号に従った処理を処理部３２に実行させることにより、表示部３３に受付画面を表示させる。例えば、ＡＶアンプ２が複数の周波数領域の夫々の増幅率を変更する機能を有している場合は、各周波数領域の増幅率を変更するためのグラフィックイコライザ用の受付画面を表示する。またＡＶアンプ２が音楽ジャンル別に音声データの調整の内容を予め定めてあるプリセットに従った音声データの調整を行う機能を有している場合は、予め定めてある複数のプリセットの夫々に対応するロック又はジャズ等の音楽ジャンルの一覧を表示し、画面上でいずれかの音楽ジャンルを指定することでいずれかのプリセットが選択される受付画面を表示する。受付画面は、使用者がリモコン又は操作部１８を操作することに応じて表示が変化するグラフィックユーザインタフェース（ＧＵＩ）を実現し、使用者はＧＵＩを用いて調整指示の入力を行う。
【００３３】
制御部１１は、次に、受付画面を視認した使用者が図示しないリモコン又は操作部１８を操作することによる、リモコン受信部１７又は操作部１８での調整指示の受付を待ち受ける（Ｓ１１１）。調整指示を受け付けた場合は（Ｓ１１１：ＹＥＳ）、制御部１１は、受け付けた調整指示の内容を示す調整指示情報を、ＣＥＣに従った信号としてＨＤＭＩコネクタ１３からＡＶアンプ２へ送信する（Ｓ１１２）。ＡＶアンプ２では、ＨＤＭＩコネクタ２５を介して調整指示情報を制御部２１で受信し、制御部２１は、調整指示情報が示す調整指示の内容に従って、各周波数領域の増幅率を変更する等、ＤＶＤレコーダ１から受信した音声データを音声処理部２２に調整させる。ＨＤＭＩ送信部２４は、音声処理部２２が調整した音声データを受像機３へ送信する。受像機３では、音声出力部３４が音声データに基づいた音声を出力することにより、各周波数領域の増幅率が変更される等、特徴が変化した音声が出力される。
【００３４】
ステップＳ１１２が終了した場合、又はステップＳ１１１で調整指示の受付がなかった場合は（Ｓ１１１：ＮＯ）、制御部１１は、リモコン受信部１７又は操作部１８で、受像機３から出力された音声を聴取した使用者の操作による、調整内容を確定する指示の受付を待ち受ける（Ｓ１１３）。調整内容を確定する指示の受付がなかった場合は（Ｓ１１３：ＮＯ）、制御部１１は、処理をステップＳ１１１へ戻す。調整内容を確定する指示を受け付けた場合は（Ｓ１１３：ＹＥＳ）、制御部１１は、ステップＳ１１１で受け付けた調整指示の内容を示す調整指示情報を、指定された音声データを識別する音声識別情報、及びＡＶアンプ２を識別する調整装置識別情報に関連付けて音声データベースに記録することにより、ハードディスクに記憶する（Ｓ１１４）。制御部１１は、次に、ＣＥＣに従った所定の制御信号をＡＶアンプ２を経由して受像機３へ送信することにより、受像機３の表示部３３での表示をオフさせる（Ｓ１１５）。以上の処理により、音声別に使用者が好みに合わせて音声の特徴を調整することができる。
【００３５】
ステップＳ１０７で音声識別情報及び調整装置識別情報に関連付けられた調整指示情報が記録されている場合は（Ｓ１０７：ＹＥＳ）、ＨＤＤ１６は指定された音声データに対応する音声圧縮データをハードディスクから読み出し、処理部１２は音声圧縮データをデコードすることで順次音声データを再生し、ＨＤＭＩ送信部１４はＴＭＤＳに従った音声データを順次ＨＤＭＩコネクタ１３からＡＶアンプ２へ送信することにより、音声データの再生及び送信を開始する（Ｓ１１６）。制御部１１は、次に、ＨＤＤ１６に、音声識別情報及び調整装置識別情報に関連付けられて音声データベースに記録されている調整指示情報をハードディスクから読み出させる（Ｓ１１７）。制御部１１は、次に、読み出した調整指示情報を、音声データに関連付けて、ＣＥＣに従った信号としてＨＤＭＩコネクタ１３からＡＶアンプ２へ送信する（Ｓ１１８）。ＡＶアンプ２では、音声データをＨＤＭＩ受信部２６で受信し、調整指示情報を制御部２１で受信し、制御部２１は、調整指示情報が示す調整指示の内容に従って、受信した音声データを音声処理部２２に調整させる。ＨＤＭＩ送信部２４は、音声処理部２２が調整した音声データを受像機３へ送信する。受像機３では、音声出力部３４が音声データに基づいた音声を出力することにより、各周波数領域の増幅率が変更される等、特徴が変化した音声が出力される。以上の処理により、予め記憶されている調整指示情報に従って音声の特徴が調整される。
【００３６】
ステップＳ１１５又はステップＳ１１８が終了した後は、制御部１１は、音声データを最後まで再生したか、又は使用者の操作により音声出力の終了の指示を受け付けて処理部１２に音声データの再生を終了させる等による、音声データの再生が終了することを待ち受ける（Ｓ１１９）。音声データの再生がまだ終了しない場合は（Ｓ１１９：ＮＯ）、制御部１１は、終了の待ち受けを続行する。音声データの再生が終了した場合は（Ｓ１１９：ＹＥＳ）、制御部１１は、処理をステップＳ１０２へ戻す。
【００３７】
ステップＳ１０４で、ＡＶアンプ２がＤＶＤレコーダ１に対応した調整装置でない場合は（Ｓ１０４：ＮＯ）、ＨＤＤ１６は指定された音声データに対応する音声圧縮データをハードディスクから読み出し、処理部１２は音声圧縮データをデコードすることで順次音声データを再生し、ＨＤＭＩ送信部１４はＴＭＤＳに従った音声データを順次ＨＤＭＩコネクタ１３からＡＶアンプ２へ送信することにより、音声データの再生及び送信を開始する（Ｓ１０５）。音声データは、ＡＶアンプ２を経由して受像機３へ送信され、受像機３では、処理部３２は、音声出力部３４に音声データに基づいた音声を順次出力させる。制御部１１は、次に、音声データの再生が終了することを待ち受ける（Ｓ１０６）。音声データの再生がまだ終了しない場合は（Ｓ１０６：ＮＯ）、制御部１１は、終了の待ち受けを続行する。音声データの再生が終了した場合は（Ｓ１０６：ＹＥＳ）、制御部１１は、処理をステップＳ１０２へ戻す。
【００３８】
ステップＳ１０２で、再生すべき音声データの指定がない場合は（Ｓ１０２：ＮＯ）、制御部１１は、音声データの指定がない状態で所定時間が経過するか、又は使用者の操作により処理終了の指示を受け付ける等による、処理終了のトリガーを待ち受ける（Ｓ１０３）。処理終了のトリガーがない場合は（Ｓ１０３：ＮＯ）、制御部１１は、処理をステップＳ１０２へ戻す。処理終了のトリガーが発生した場合は（Ｓ１０３：ＹＥＳ）、制御部１１は処理を終了する。
【００３９】
なお、ＡＶアンプ２又は受像機３は、音声の出力中に音量を調整する処理を行う。受像機３の表示部３３は、表示がオフとなっているので、音量を示す情報を表示できない。ＡＶアンプ２又は受像機３は、音量を示す情報をＣＥＣに従ったデータとしてＤＶＤレコーダ１へ送信し、ＤＶＤレコーダ１の制御部１１は、表示部１９に音量を示す情報を表示させる。制御部１１は、表示部１９の表示を視認した使用者の操作により、音量変更の指示を受け付け、受け付けた指示に従って音量の変更を指示する制御信号をＡＶアンプ２又は受像機３へ送信する。ＡＶアンプ２又は受像機３では、制御信号に従って音量を調整する処理を行う。なお、以上の処理では、ステップＳ１１５で、調整指示情報の受付終了後に受像機３の表示部３３での表示をオフさせる処理を示したが、ＤＶＤレコーダ１は、表示部３３に必要な情報を表示させてから所定時間が経過した場合に表示部３３の表示をオフさせる処理を行ってもよい。また、ＤＶＤレコーダ１による処理ではなく、受像機３が、表示部３３に必要な情報を表示してから所定時間が経過した場合に表示部３３の表示をオフする処理を行ってもよい。このように、必要時以外に表示部３３の表示をオフすることにより、受像機３での省電力を図ることができる。
【００４０】
以上詳述した如く、本発明においては、各音声データが再生される際に、音声データに基づいた音声の特徴を変化させるための調整指示を使用者から受け付け、調整指示に従って音声データを調整し、調整した音声データに基づいて音声を出力することにより、音声の特徴を変化させる。このため、使用者は、楽曲等の音声別に好みに合わせて音声の特徴を変更することができる。また本発明においては、受け付けた調整指示の内容を示す調整指示情報を音声データに関連付けて記憶し、各音声データが再生される際に、音声データに関連付けて記憶されている調整指示情報に従って音声データを調整することにより、音声の特徴を変化させる。調整指示情報は、過去に使用者から音声別に受け付けた調整指示の内容を示しているので、音声別に使用者の好みに合わせた音声の特徴の調整を簡便に行うことができる。使用者は、一度調整指示をＤＶＤレコーダ１に入力しておけば、聴取の度に手動で調整を行わずとも、常に好みに合う調整が行われた音声を聴取することができる。
【００４１】
またＤＶＤレコーダ１は、接続されたＡＶアンプ２が行うことが可能な音声データの調整の機能を特定し、特定した機能に応じた内容の調整指示を受け付け、ＡＶアンプ２は、調整指示に従って音声データの調整を行う。これにより、ＡＶアンプ２がどのような機能を有していても、機能に応じた調整指示を受け付け、ＡＶアンプ２の機能を十分に発揮した音声データの調整の処理を行うことができる。またＤＶＤレコーダ１に接続する調整装置を切り換えた場合であっても、切り換え後の調整装置の機能を十分に発揮した音声データの調整の処理を行うことができる。
【００４２】
また本発明においては、調整指示を受け付けるための受付画面を受像機３の表示部３３に表示させるので、使用者は、受付画面を視認した上でＧＵＩを用いて簡便に調整指示を入力することができる。なお、本発明においては、ＤＶＤレコーダ１は、受付画面を表示部１９に表示することによって、調整指示を受け付ける形態であってもよい。この形態の場合は、制御部１１は、ステップＳ１１０で受付画面を表示部１９に表示させ、ステップＳ１１５で表示部１９の表示をオフにする処理を行う。
【００４３】
なお、本実施の形態においては、本発明の再生システムの形態は、図１及び図２に示すように、ＤＶＤレコーダ１にＡＶアンプ２が接続され、ＡＶアンプ２に受像機３が接続された形態であるとしたが、他の形態をとることも可能である。例えば、ＡＶアンプ２にスピーカが接続されており、ＡＶアンプ２は調整した音声データに基づいた音声をスピーカに出力させる処理を行う形態であってもよい。この形態の場合においても、ＤＶＤレコーダ１から調整指示情報をＡＶアンプ２へ送信することによって、音声の特徴を変化させることができる。また本発明の再生システムは、受像機３が音声データを調整する機能を備え、ＡＶアンプ２を介さずにＤＶＤレコーダ１に受像機３が直接に接続されている形態であってもよい。この形態の場合は、受像機３は本発明における調整装置となる。この形態の場合においては、ＤＶＤレコーダ１から音声データ及び調整指示情報を受像機３へ送信し、受像機３は、調整指示情報に従って音声データを調整し、調整した音声データに従った音声を出力することによって、音声の特徴を変化させることができる。
【００４４】
また本実施の形態においては、ＤＶＤレコーダ１がハードディスクに記憶してある音声圧縮データに基づいた音声の特徴を調整する形態を示したが、本発明の再生システムは、ＣＤに記録されたデータに基づいた音声の特徴を調整する形態であってもよい。この形態の場合は、ＤＶＤレコーダ１は、図２に示す音声データベースは記憶しているものの、音声データに対応する音声圧縮データはハードディスクには記憶していない。ＤＶＤレコーダ１は、光ディスクドライブ１５にＣＤを受け入れた状態で、図４及び図５に示す処理を実行する。ＤＶＤレコーダ１は、ステップＳ１０７では、ＣＤからＴＯＣ情報を読み出し、ＴＯＣ情報からＣＤ識別情報を求め、求めたＣＤ識別情報を用いて調整指示情報が記録されているか否かを判定する処理を行う。ＣＤ識別情報又は音声識別情報自体が音声データベースに記録されていない場合は、ＤＶＤレコーダ１は、ステップＳ１１４で、ＣＤ識別情報又は音声識別情報をも音声データベースに記録する処理を行う。またＤＶＤレコーダ１は、ステップＳ１０５、ステップＳ１０９及びＳ１１６では、ＣＤから音声データに対応するデータを読み出し、読み出したデータから音声データを再生し、再生した音声データを送信する処理を行う。この形態においても、調整指示情報を用いた処理を行うことにより、ＣＤに記録されたデータに基づいた音声の特徴を音声別に使用者の好みに合わせて調整することが可能となる。
【００４５】
また本実施の形態においては、受像機３が音声のみを出力する形態を示したが、本発明の再生システムは、受像機３が映像を表示すると共に出力する音声の特徴を調整する形態であってもよい。この形態においては、ＤＶＤレコーダ１は、映像データに付随する音声データを識別する音声識別情報に関連付けて調整指示情報を記録した音声データベースをハードディスクに記憶している。ＤＶＤレコーダ１は、ステップＳ１０２では、ハードディスク又は光ディスクドライブ１５で受け入れたＤＶＤに記録されたデータに対応する映像データの指定を受け付けることにより、映像データに付随する音声データの指定を受け付ける。またＤＶＤレコーダ１は、ステップＳ１０５、ステップＳ１０９及びＳ１１６では、ハードディスク又はＤＶＤからデータを読み出し、読み出したデータから映像データ及び音声データを再生し、再生した映像データ及び音声データを送信する処理を行う。ＡＶアンプ２では、受信した映像データをＨＤＭＩ受信部２６からＨＤＭＩ送信部２４へ入力し、ＨＤＭＩ送信部２４は映像データを受像機３へ送信する。受像機３では、処理部３２は、映像データに基づいた映像を表示部３３に表示させると共に、音声データに基づいた音声を音声出力部３４に出力させる。またステップＳ１１０では、受像機３は、映像の表示を受付画面に切り換えるか、又は表示部３３の画面の一部に受付画面を表示する処理を行う。またこの形態では、ステップＳ１１４の終了後に受付画面を閉じる処理を行い、ステップＳ１１５を省いた処理を行う。この形態においても、調整指示情報を用いた処理を行うことにより、映像の表示と共に出力する音声の特徴を使用者の好みに合わせて調整することが可能となる。
【００４６】
（実施の形態２）
実施の形態１においては、再生装置であるＤＶＤレコーダ１が音声データを外部へ送信し、調整装置であるＡＶアンプ２が音声データを調整する形態を示したが、実施の形態２においては、本発明の再生装置が音声データを調整する機能を備えた形態を示す。例えば、再生装置であるＤＶＤレコーダ１では、処理部１２が音声データを調整する機能を備え、ＤＶＤレコーダ１に受像機３が接続された形態であればよい。この形態の場合は、ＤＶＤレコーダ１は、音声データベースに、調整装置識別情報を記録することなく、音声識別情報に調整指示情報を記録してある。
【００４７】
図６は、実施の形態２に係るＤＶＤレコーダ１が行う処理の手順を示すフローチャートである。制御部１１は、再生すべき音声データの指定を待ち受け（Ｓ２０１）、再生すべき音声データが指定された場合は（Ｓ２０１：ＹＥＳ）、ハードディスクに記憶している音声データベースに、指定された音声データを識別する音声識別情報に関連付けられた調整指示情報が記録されているか否かを判定する（Ｓ２０３）。音声データベースに、音声識別情報に関連付けられた調整指示情報が記録されていない場合は（Ｓ２０３：ＮＯ）、ＤＶＤレコーダ１では、ＨＤＤ１６は指定された音声データに対応する音声圧縮データをハードディスクから読み出し、処理部１２は音声圧縮データをデコードすることで順次音声データを再生し、ＨＤＭＩ送信部１４は音声データを順次受像機３へ送信することにより、音声データの再生及び送信を開始する（Ｓ２０４）。受像機３では、音声データをＨＤＭＩ受信部３６で受信し、処理部３２は、音声出力部３４に音声データに基づいた音声を順次出力させる。
【００４８】
制御部１１は、次に、音声データの調整の内容を指示する調整指示を受け付けるための受付画面を受像機３の表示部３３に表示させる処理を行う（Ｓ２０５）。制御部１１は、次に、リモコン受信部１７又は操作部１８での調整指示の受付を待ち受ける（Ｓ２０６）。調整指示を受け付けた場合は（Ｓ２０６：ＹＥＳ）、処理部１２は、受け付けた調整指示に従って、音声データの調整を開始する（Ｓ２０７）。処理部１２が調整した音声データが受像機３へ送信され、受像機３では、音声出力部３４が音声データに基づいた音声を出力することにより、特徴が変化した音声が出力される。ステップＳ２０７が終了した場合、又はステップＳ２０６で調整指示の受付がなかった場合は（Ｓ２０６：ＮＯ）、制御部１１は、リモコン受信部１７又は操作部１８で調整内容を確定する指示の受付を待ち受ける（Ｓ２０８）。調整内容を確定する指示の受付がなかった場合は（Ｓ２０８：ＮＯ）、制御部１１は、処理をステップＳ２０６へ戻す。調整内容を確定する指示を受け付けた場合は（Ｓ２０８：ＹＥＳ）、制御部１１は、ステップＳ２０６で受け付けた調整指示の内容を示す調整指示情報を、指定された音声データを識別する音声識別情報に関連付けて音声データベースに記録することにより、ハードディスクに記憶する（Ｓ２０９）。制御部１１は、次に、受像機３の表示部３３での表示をオフさせる（Ｓ２１０）。
【００４９】
ステップＳ２０３で音声識別情報に関連付けられた調整指示情報が記録されている場合は（Ｓ２０３：ＹＥＳ）、ＨＤＤ１６は指定された音声データに対応する音声圧縮データをハードディスクから読み出し、処理部１２は、音声圧縮データをデコードすることで順次音声データを再生すると共に、調整指示情報が示す調整指示の内容に従って音声データを調整し、ＨＤＭＩ送信部１４は調整された音声データを順次受像機３へ送信することにより、音声データの再生・調整・送信を開始する（Ｓ２１２）。受像機３では、ＤＶＤレコーダ１からの音声データに基づいた音声を出力することにより、特徴が変化した音声が出力される。
【００５０】
ステップＳ２１０又はステップＳ２１２が終了した後は、制御部１１は、音声データの再生が終了することを待ち受ける（Ｓ２１３）。音声データの再生がまだ終了しない場合は（Ｓ２１３：ＮＯ）、制御部１１は、終了の待ち受けを続行する。音声データの再生が終了した場合は（Ｓ２１３：ＹＥＳ）、制御部１１は、処理をステップＳ２０１へ戻す。
【００５１】
ステップＳ２０１で、再生すべき音声データの指定がない場合は（Ｓ２０１：ＮＯ）、制御部１１は、処理終了のトリガーを待ち受ける（Ｓ２０２）。処理終了のトリガーがない場合は（Ｓ２０２：ＮＯ）、制御部１１は、処理をステップＳ２０１へ戻す。処理終了のトリガーが発生した場合は（Ｓ２０２：ＹＥＳ）、制御部１１は処理を終了する。この形態においても、調整指示情報を用いた処理を行うことにより、音声の特徴を使用者の好みに合わせて調整することが可能となる。
【００５２】
なお、本実施の形態においても、光ディスクに記録されたデータに基づいた音声の調整、及び表示する映像に付随した音声の調整を行うことができる。また本実施の形態においては、本発明の再生装置であるＤＶＤレコーダ１に受像機３が接続された形態を示したが、本発明の再生システムは、ＤＶＤレコーダ１にスピーカが直接接続されており、ＤＶＤレコーダ１が送信した音声データに基づいてスピーカが音声を出力する構成であってもよい。また、ディスプレイ一体型のＤＶＤプレーヤ又はスピーカ内蔵型のオーディオ装置等のように、本発明の再生装置は更にスピーカを備えた形態であってもよい。この形態の場合では、再生装置は、ステップＳ２０４及びＳ２１２では調整した音声データに基づいてスピーカに音声を出力させる処理を行う。
【００５３】
また本発明の実施の形態１及び２においては、記録媒体としてハードディスク、ＣＤ及びＤＶＤを利用するＤＶＤレコーダ１を本発明の再生装置であるとしたが、本発明の再生装置は、これに限るものではなく、他の種類の光ディスク、半導体メモリ、又は可搬型のハードディスク等、その他の記録媒体を利用する形態であってもよい。例えば、本発明の音楽再生装置は、ハードディスクを備えていないオーディオプレーヤであってもよく、又、ハードディスクを備え、インタフェースを介して外部から受信した音声圧縮データをハードディスクに蓄積するオーディオサーバであってもよい。また本実施の形態においては、データを機器間で送受信するためのインタフェースとしてＨＤＭＩを用いた形態を示したが、本発明は、音声信号及び制御信号を個別に送受信できるフォーマットであれば、その他のインタフェースを用いた形態であってもよい。
【図面の簡単な説明】
【００５４】
【図１】本発明の再生システムを示す概念図である。
【図２】本発明の再生システムの内部構成を示すブロック図である。
【図３】音声データベースの内容例を示す概念図である。
【図４】実施の形態１に係るＤＶＤレコーダが行う処理の手順を示すフローチャートである。
【図５】実施の形態１に係るＤＶＤレコーダが行う処理の手順を示すフローチャートである。
【図６】実施の形態２に係るＤＶＤレコーダが行う処理の手順を示すフローチャートである。
【符号の説明】
【００５５】
１  ＤＶＤレコーダ（再生装置）
１１  制御部
１２  処理部
１６  ＨＤＤ
１７  リモコン受信部
１８  操作部
２  ＡＶアンプ（調整装置）
２１  制御部
２２  音声処理部
３  受像機
３１  制御部
３２  処理部
３３  表示部
３４  音声出力部
【図１】
2009123255.tif 000003
【図２】
2009123255.tif 000004
【図３】
2009123255.tif 000005
【図４】
2009123255.tif 000006
【図５】
2009123255.tif 000007
【図６】
2009123255.tif 000008